(57)【要約】【課題】外付けキーボードを用いるに際し、この外付けキーボードの入力操作を支援することが可能な電子機器や画像形成装置の表示装置を提供する。【解決手段】外付けキーボード４が操作表示部３に接続されたときには、外付けキーボード４の各操作キー３１の文字が表示部２１の入力画面の各ボタン４４ａ〜４４ｆに表示され、各ボタン４４ａ〜４４ｆの操作の代わりに、各文字の操作キー３１の操作により、各ボタン４４ａ〜４４ｆの制御項目についての入力を行うことができる。【選択図】図１
2006146330.tif 000002
【特許請求の範囲】
【請求項１】
電子機器の動作に係わる制御項目を表示する表示部と、この表示部に表示された制御項目についての入力を行うための入力部とを備え、複数の操作キーを有する外付けキーボードが着脱自在に接続される電子機器の表示装置において、
この表示装置に外付けキーボードが接続されたか否かを検出する検出手段と、
この検出手段により外付けキーボードの接続が検出されているときには、外付けキーボードの操作キーを前記制御項目についての入力を行うために割り当て、この操作キーの文字を該制御項目に対応付けて表示部に表示させる制御手段と
を備えることを特徴とする電子機器の表示装置。
【請求項２】
操作キーの文字を制御項目に対応付けて表示部に表示させるか否かを入力指示する表示切替え指示手段を備え、
制御手段は、表示切替え指示手段の入力指示に応じて表示部での操作キーの文字の表示及び非表示を切替えることを特徴とする請求項１に記載の電子機器の表示装置。
【請求項３】
操作キーの文字として、複数種類の文字を記憶した記憶手段と、
記憶手段内の複数種類の文字のいずれかを、制御項目に対応付けて表示部に表示される文字として選択する選択手段と
を備えることを特徴とする請求項１に記載の電子機器の表示装置。
【請求項４】
制御項目についての入力を行うために割り当てられる操作キーを他の操作キーに切替えるキー切替え手段を備えることを特徴とする請求項１に記載の電子機器の表示装置。
【請求項５】
外付けキーボードは、各操作キーに対応するそれぞれの点灯部を有し、
制御手段は、制御項目に対応付けて表示部に表示される文字の操作キーに対応する点灯部を点灯させることを特徴とする請求項１に記載の電子機器の表示装置。
【請求項６】
制御手段は、制御項目に対応付けて表示部に表示された文字の操作キーとは異なる他の操作キーが操作されたときに、警告を発することを特徴とする請求項１に記載の電子機器の表示装置。
【請求項７】
制御手段は、表示部の画面における各操作キーの文字の配列を外付けキーボードにおける該各操作キーの文字の配列に対応付けることを特徴とする請求項１に記載の電子機器の表示装置。
【請求項８】
複数の外付けキーボード別に、外付けキーボードの操作キーの文字と制御項目との対応付けを該外付けキーボードの識別情報と共に記憶する記憶手段を備え、
制御手段は、表示装置に接続された外付けキーボードの識別情報に基づいて、該外付けキーボードの操作キーの文字と制御項目との対応付けを記憶手段から読み出して用いることを特徴とする請求項１に記載の電子機器の表示装置。
【請求項９】
画像形成装置の動作に係わる制御項目を表示する表示部と、この表示部に表示された制御項目についての入力を行うための入力部とを備え、複数の操作キーを有する外付けキーボードが着脱自在に接続される画像形成装置の表示装置において、
この表示装置に外付けキーボードが接続されたか否かを検出する検出手段と、
この検出手段により外付けキーボードの接続が検出されているときには、画像形成装置の動作の進行状況に応じて、外付けキーボードの操作キーを前記制御項目についての入力を行うために割り当て、該操作キーの文字を該制御項目に対応付けて表示部に表示させる制御手段と
を備えることを特徴とする画像形成装置の表示装置。
【請求項１０】
表示部は、画像形成装置を示す図を表示して、この図上に、制御項目として画像形成装置の対象箇所を表示し、
制御部は、操作キーの文字を該対象箇所に表示することを特徴とする請求項９に記載の画像形成装置の表示装置。
【発明の詳細な説明】
【技術分野】
【０００１】
本発明は、外付けキーボードを着脱自在に接続して用いることが可能な電子機器や画像形成装置の表示装置に関する。
【背景技術】
【０００２】
この種の従来の装置としては、例えば特許文献１に記載のものがある。ここでは、外付けキーボードの接続又は非接続を判別し、外付けキーボードの非接続時には、表示部の画面にタッチパネルにより検出される操作キーを自動的に表示し、この操作キーを表示するための設定作業を不要にしている。
【０００３】
また、特許文献２では、複写機に表示装置やキーボード等の入力装置等を外付け接続し、複写機をコンピュータとしても利用可能にしている。
【特許文献１】特開２００３−１５７４７５号公報
【特許文献２】特開平８−２９３９５４号公報
【発明の開示】
【発明が解決しようとする課題】
【０００４】
ところで、電子機器や画像形成装置に外付けキーボードを接続した上で、電子機器や画像形成装置の表示部の画面を見ながら、外付けキーボードの操作により入力を行うという利用形態が考えられる。例えば、Ｅメールの作成作業は、電子機器や画像形成装置に付設のタッチパネルやテンキーの操作では困難であることから、外付けキーボードを用いることが好ましい。また、外付けキーボードを用いるときには、タッチパネルやテンキーに代わって、これらによる入力をも外付けキーボードの操作により行えば、使い勝手が向上する。
【０００５】
しかしながら、従来は、電子機器や画像形成装置に付設のタッチパネルやテンキーに代わって、外付けキーボードを用いるに際し、この外付けキーボードの入力操作を支援するための工夫が何等なされていなかった。このため、例えば画像形成装置のコピー濃度を入力するにしても、外付けキーボードを如何に操作すべきであるかが分からないという問題があった。
【０００６】
そこで、本発明は、上記従来の問題に鑑みてなされたものであり、電子機器や画像形成装置に付設のタッチパネルやテンキーに代わって、外付けキーボードを用いるに際し、この外付けキーボードの入力操作を支援することが可能な電子機器や画像形成装置の表示装置を提供することを目的とする。
【課題を解決するための手段】
【０００７】
上記課題を解決するために、本発明は、電子機器の動作に係わる制御項目を表示する表示部と、この表示部に表示された制御項目についての入力を行うための入力部とを備え、複数の操作キーを有する外付けキーボードが着脱自在に接続される電子機器の表示装置において、この表示装置に外付けキーボードが接続されたか否かを検出する検出手段と、この検出手段により外付けキーボードの接続が検出されているときには、外付けキーボードの操作キーを前記制御項目についての入力を行うために割り当て、この操作キーの文字を該制御項目に対応付けて表示部に表示させる制御手段とを備えている。
【０００８】
また、本発明においては、操作キーの文字を制御項目に対応付けて表示部に表示させるか否かを入力指示する表示切替え指示手段を備え、制御手段は、表示切替え指示手段の入力指示に応じて表示部での操作キーの文字の表示及び非表示を切替えている。
【０００９】
更に、本発明においては、操作キーの文字として、複数種類の文字を記憶した記憶手段と、記憶手段内の複数種類の文字のいずれかを、制御項目に対応付けて表示部に表示される文字として選択する選択手段とを備えている。
【００１０】
また、本発明においては、制御項目についての入力を行うために割り当てられる操作キーを他の操作キーに切替えるキー切替え手段を備えている。
【００１１】
更に、本発明においては、外付けキーボードは、各操作キーに対応するそれぞれの点灯部を有し、制御手段は、制御項目に対応付けて表示部に表示される文字の操作キーに対応する点灯部を点灯させている。
【００１２】
また、本発明においては、制御手段は、制御項目に対応付けて表示部に表示された文字の操作キーとは異なる他の操作キーが操作されたときに、警告を発している。
【００１３】
更に、本発明においては、制御手段は、表示部の画面における各操作キーの文字の配列を外付けキーボードにおける該各操作キーの文字の配列に対応付けている。
【００１４】
また、本発明においては、複数の外付けキーボード別に、外付けキーボードの操作キーの文字と制御項目との対応付けを該外付けキーボードの識別情報と共に記憶する記憶手段を備え、制御手段は、表示装置に接続された外付けキーボードの識別情報に基づいて、該外付けキーボードの操作キーの文字と制御項目との対応付けを記憶手段から読み出して用いている。
【００１５】
一方、他の本発明は、画像形成装置の動作に係わる制御項目を表示する表示部と、この表示部に表示された制御項目についての入力を行うための入力部とを備え、複数の操作キーを有する外付けキーボードが着脱自在に接続される画像形成装置の表示装置において、この表示装置に外付けキーボードが接続されたか否かを検出する検出手段と、この検出手段により外付けキーボードの接続が検出されているときには、画像形成装置の動作の進行状況に応じて、外付けキーボードの操作キーを前記制御項目についての入力を行うために割り当て、該操作キーの文字を該制御項目に対応付けて表示部に表示させる制御手段とを備えている。
【００１６】
また、他の本発明においては、表示部は、画像形成装置を示す図を表示して、この図上に、制御項目として画像形成装置の対象箇所を表示し、制御部は、操作キーの文字を該対象箇所に表示している。
【発明の効果】
【００１７】
本発明によれば、電子機器に対する外付けキーボードの接続が検出されているときには、外付けキーボードの操作キーを、電子機器の表示部に表示された制御項目についての入力を行うために割り当て、この操作キーの文字を該制御項目に対応付けて表示部に表示させている。この操作キーの文字は、キートップに印されているアルファベット、平仮名、数字等である。このため、制御項目に対応付けて表示部に表示されている操作キーの文字を見れば、外付けキーボード上で該操作キーを容易に識別することができ、この操作キーを直ちに操作して、制御項目についての入力を行うことができる。また、外付けキーボードの接続が検出されていないときには、操作キーの文字を表示部に表示させることがないので、不要な情報の表示がなく、利用者を煩わせることがない。
【００１８】
また、表示部での操作キーの文字の表示及び非表示を切替えることができるので、操作キーの文字の表示が不要なときには、この文字を非表示とすることができる。
【００１９】
更に、操作キーの文字として、複数種類の文字を記憶しておき、複数種類の文字のいずれかを、制御項目に対応付けて表示部に表示される文字として選択している。これは、外付けキーボードとして、ＱＷＥＲＴＹ配列のキーボードや、日本語の５０音配列のキーボード等があり、いずれの種類のキーボードであるかにより操作キーの文字が異なることから、操作キーの文字として複数種類の文字のいずれかを選択して、いずれの種類のキーボードであっても使用することができる様にするためである。
【００２０】
また、制御項目についての入力を行うために割り当てられる操作キーを他の操作キーに切替えることができるので、利用者の要求に応じて入力を行う操作キーを任意に設定することができる。
【００２１】
更に、外付けキーボードとして、各操作キーに対応するそれぞれの点灯部を有するものを用い、制御項目に対応付けて表示部に表示される文字の操作キーに対応する点灯部を点灯させているので、外付けキーボードの全ての操作キーのいずれを操作すべきであるかが直ちに分かり、使い勝手が向上する。
【００２２】
また、制御項目に対応付けて表示部に表示された文字の操作キーとは異なる他の操作キーが操作されたときに、警告を発しているので、誤操作が直ちに分かり、使い勝手が向上する。
【００２３】
更に、表示部の画面における各操作キーの文字の配列を外付けキーボードにおける該各操作キーの文字の配列に対応付けているので、画面における文字の位置を参考にして、外付けキーボードにおける同一文字の操作キーを容易に見つけ出すことができ、使い勝手が向上する。
【００２４】
また、複数の外付けキーボード別に、外付けキーボードの操作キーの文字と制御項目との対応付けを該外付けキーボードの識別情報と共に記憶しておき、表示装置に接続された外付けキーボードの識別情報に基づいて、該外付けキーボードの操作キーの文字と制御項目との対応付けを読み出して用いているので、複数の外付けキーボードのいずれが表示装置に接続されたときにも、接続された外付けキーボードの操作キーの文字と制御項目との対応付けが設定される。このため、複数の利用者のいずれもが、自分の外付けキーボードを使用することができる。
【００２５】
一方、他の本発明によれば、画像形成装置に対する外付けキーボードの接続が検出されているときには、画像形成装置の動作の進行状況に応じて、外付けキーボードの操作キーを画像形成装置の表示部に表示された制御項目についての入力を行うために割り当て、該操作キーの文字を該制御項目に対応付けて表示部に表示させている。このため、画像形成装置の動作の進行状況に応じて操作すべき操作キーが変わっても、この操作すべき操作キーの文字を表示部に表示させることができ、使い勝手が向上する。また、外付けキーボードの接続が検出されていないときには、操作キーの文字を表示部に表示させることがないので、不要な情報の表示がなく、利用者を煩わせることがない。
【００２６】
また、表示部に画像形成装置を示す図を表示して、この図上に、制御項目として画像形成装置の対象箇所を表示し、操作キーの文字を該対象箇所に表示しているので、対象箇所の操作キーが直ちに分かって、使い勝手が向上する。
【発明を実施するための最良の形態】
【００２７】
以下、本発明の実施形態を添付図面を参照しつつ詳細に説明する。
【００２８】
図１は、本発明の表示装置の第１実施形態を適用した画像形成装置を概略的に示すブロック図である。本実施形態の画像形成装置１は、複写機及びプリンター等の役目を果たす複合型のものであり、この画像形成装置１全体を制御する主制御部２と、原稿の読み取り及び画像の記録等の動作に係わる制御項目や動作状況等を表示したり、入力指示を行うための操作表示部３とを備えている。また、操作表示部３には、外付けキーボード４を着脱自在に接続することができ、この外付けキーボード４からの入力も可能である。
【００２９】
図２は、主制御部２を示すブロック図である。この主制御部２は、画像データ等を入出力する入出力部１１と、各種のプログラムやデータ等を記憶したＲＯＭ１２と、各種のデータを記憶したり、ワークエリアとして用いられるＲＡＭ１３と、画像形成装置１の動作等を制御するＣＰＵ１４とを備えている。入出力部１１は、原稿を読み取るスキャナー１５から原稿の画像を示す画像データを入力したり、画像を記録するプリンター１６に画像データを出力したり、ＬＡＮ１７を介して、Ｅメール等を他の端末装置との間で送受する。ＣＰＵ１４は、画像データを画像処理したり、スキャナー及びプリンター等の動作を制御する。
【００３０】
図３は、操作表示部３を示すブロック図である。この操作表示部３は、液晶表示装置等の表示部２１と、表示部２１の画面に重ね合わせられるタッチパネル及びテンキー等からなる操作部２２と、各種のプログラムやデータ等を記憶したＲＯＭ２３と、各種のデータを記憶したり、ワークエリアとして用いられるＲＡＭ２４と、外付けキーボード４との間でデータを入出力するＩ／Ｆ部２５と、警告音を発音するブザー２６と、操作表示部３全体を制御するＣＰＵ２７とを備えている。
【００３１】
図４は、外付けキーボード４の概観を示す平面図である。また、図５は、外付けキーボード４を示すブロック図である。この外付けキーボード４は、日本語の５０音配列のキーボードであり、複数の操作キー３１を縦横に配列し、各操作キー３１下側にそれぞれの発光ダイオード３２を設けている。また、この外付けキーボード４は、各操作キー３１及び各発光ダイオード３２の他に、画像形成装置１の操作表示部３との間でデータを入出力するＩ／Ｆ部３３と、外付けキーボード４全体を制御するＣＰＵ３４とを備えている。
【００３２】
さて、操作表示部３において、ＣＰＵ２７は、画像形成装置１が複写機として用いられるときに、ＲＯＭ２３内のプログラムを実行し、ＲＯＭ２３内の画像データを用いて、例えば図６に示す様な入力画面４１Ａを表示部２１に表示する。この入力画面４１Ａでは、画像形成装置１の動作の進行状況や制御項目を示す進行状況欄４２と、画像形成装置１を示す図形４３と、特別機能、両面コピー、仕上げ、コピー濃度、用紙、及び倍率というそれぞれの制御項目を示す各ボタン４４ａ〜４４ｆとが表示されている。
【００３３】
また、表示部２１の画面には、操作部２２のタッチパネルが重ね合わせられており、利用者の指が各ボタン４４ａ〜４４ｆのいずれかに接触して、任意のボタンが指示されると、この指示されたボタンの位置がタッチパネルにより検出され、このボタンの位置が操作部２２からＣＰＵ２７に通知される。そして、ＣＰＵ２７は、この通知された位置に基づいて、各ボタン４４ａ〜４４ｆのいずれが指示されたかを判定し、この指示されたボタンに係わる応答動作を行う。
【００３４】
例えば、利用者の指がコピー濃度を示すボタン４４ｄに接触して、このボタン４４ｄが指示されると、このボタン４４ｄの位置が操作部２２からＣＰＵ２７に通知される。そして、ＣＰＵ２７は、この通知された位置に基づいて、ボタン４４ｄが指示されたことを判定し、このボタン４４ｄの指示に応答して、コピー濃度を設定するための入力画面を示す画像データをＲＯＭ２３から読み出し、この入力画面を表示部２１に表示する。
【００３５】
あるいは、利用者の指が両面コピーを示すボタン４４ｂに接触して、このボタン４４ｂが指示されると、このボタン４４ｂの位置が操作部２２からＣＰＵ２７に通知される。そして、ＣＰＵ２７は、この通知された位置に基づいて、ボタン４４ｂが指示されたことを判定し、この指示されたボタン４４ｂの制御項目（両面コピー）を主制御部２に通知する。主制御部２のＣＰＵ１４は、この制御項目を通知されると、この制御項目に応答して両面コピーの制御を進行させる。
【００３６】
一方、外付けキーボード４が操作表示部３に接続された状態では、外付けキーボード４の操作キー３１の操作により、表示部２１の入力画面の各ボタン４４ａ〜４４ｆを選択的に指示することが可能である。このために、操作表示部３のＲＡＭ２４には、入力画面４１の各ボタン４４ａ〜４４ｆと外付けキーボード４の各操作キー３１の文字とを対応付けたデータテーブルを予め登録している。このデータテーブルとしては、アルファベット表示及び平仮名表示等のための複数種のものがある。
【００３７】
例えば、アルファベット表示のデータテーブルでは、ボタン４４ａと操作キー３１のキートップに印されている文字「Ｓ」とを対応付け、ボタン４４ｂと操作キー３１に印されている文字「Ｗ」とを対応付け、ボタン４４ｃと操作キー３１に印されている文字「Ｏ」とを対応付け、ボタン４４ｄと操作キー３１に印されている文字「Ｄ」とを対応付け、ボタン４４ｅと操作キー３１に印されている文字「Ｐ」とを対応付け、ボタン４４ｆと操作キー３１に印されている文字「Ｒ」とを対応付けている。
【００３８】
また、平仮名表示のデータテーブルでは、例えばボタン４４ａと操作キー３１のキートップに印されている文字「と」とを対応付け、ボタン４４ｂと操作キー３１に印されている文字「り」とを対応付け、ボタン４４ｃと操作キー３１に印されている文字「し」とを対応付け、ボタン４４ｄと操作キー３１に印されている文字「の」とを対応付け、ボタン４４ｅと操作キー３１に印されている文字「よ」とを対応付け、ボタン４４ｆと操作キー３１に印されている文字「は」とを対応付けている。
【００３９】
ここで、外付けキーボード４が操作表示部３に接続されると、操作表示部３のＣＰＵ２７は、Ｉ／Ｆ部２５を介して、例えば外付けキーボード４からの出力信号を入力して、外付けキーボード４が接続されたことを検出する。そして、外付けキーボード４の操作によりアルファベット表示が指示されると、外付けキーボード４のＣＰＵ３４は、このアルファベット表示をＩ／Ｆ部３３を介して操作表示部３に指示する。操作表示部３のＣＰＵ２７は、外付けキーボード４の接続を検出し、アルファベット表示を指示されると、ＲＡＭ２４内のアルファベット表示のデータテーブルを検索して、各ボタン４４ａ〜４４ｆに対応付けられた外付けキーボード４の各操作キー３１の文字「Ｓ」、「Ｗ」、「Ｏ」、「Ｄ」、「Ｐ」、及び「Ｒ」を読み出し、図６の入力画面４１Ａを図７に示す様な入力画面４１Ｂに切替える。この入力画面４１Ｂでは、外付けキーボード４の各操作キー３１の文字「Ｓ」、「Ｗ」、「Ｏ」、「Ｄ」、「Ｐ」、及び「Ｒ」が各ボタン４４ａ〜４４ｆにそれぞれ表示されている。
【００４０】
このとき、操作表示部３のＣＰＵ２７は、各文字「Ｓ」、「Ｗ」、「Ｏ」、「Ｄ」、「Ｐ」、及び「Ｒ」の操作キー３１下側の発光ダイオード３２の点灯をＩ／Ｆ部２５を介して外付けキーボード４に指示する。外付けキーボード４のＣＰＵ３４は、この操作表示部３からの指示をＩ／Ｆ部３３を介して受け取り、この指示に応答して該各操作キー３１下側の発光ダイオード３２を点灯させる。これにより、各文字「Ｓ」、「Ｗ」、「Ｏ」、「Ｄ」、「Ｐ」、及び「Ｒ」の操作キー３１のみが操作対象であることが分かり、他の操作キー３１の誤操作が防止される。
【００４１】
この状態で、例えば利用者が、コピー濃度を示すボタン４４ｄに表示された文字「Ｄ」の操作キー３１を押下すると、外付けキーボード４のＣＰＵ３４は、この押下された文字「Ｄ」の操作キー３１を検出し、この文字「Ｄ」をＩ／Ｆ部３３を介して操作表示部３に通知する。操作表示部３のＣＰＵ２７は、この文字「Ｄ」をＩ／Ｆ部２５を介して通知されると、文字「Ｄ」を表示しているボタン４４ｄが指示されたものとみなし、このボタン４４ｄの指示に応答して、コピー濃度を設定するための入力画面を示す画像データをＲＯＭ２３から読み出し、この入力画面を表示部２１に表示する。
【００４２】
あるいは、利用者が、両面コピーを示すボタン４４ｂに表示された文字「Ｗ」の操作キー３１を押下すると、外付けキーボード４のＣＰＵ３４は、この押下された文字「Ｗ」の操作キー３１を検出し、この文字「Ｗ」をＩ／Ｆ部３３を介して操作表示部３に通知する。操作表示部３のＣＰＵ２７は、文字「Ｗ」をＩ／Ｆ部２５を介して通知されると、文字「Ｗ」を表示しているボタン４４ｂが指示されたものとみなし、この指示されたボタン４４ｂの制御項目（両面コピー）を主制御部２に通知する。主制御部２のＣＰＵ１４は、この制御項目を通知されると、この制御項目に応答して両面コピーの制御を進行させる。
【００４３】
また、利用者が、各文字「Ｓ」、「Ｗ」、「Ｏ」、「Ｄ」、「Ｐ」、及び「Ｒ」の操作キー３１とは異なる他の文字の操作キー３１を押下すると、外付けキーボード４のＣＰＵ３４は、この他の文字の操作キー３１をＩ／Ｆ部３３を介して操作表示部３に通知する。操作表示部３のＣＰＵ２７は、この他の文字をＩ／Ｆ部２５を介して通知されると、各文字「Ｓ」、「Ｗ」、「Ｏ」、「Ｄ」、「Ｐ」、及び「Ｒ」のボタン４４ａ〜４４ｆのいずれも指示されていないことを判定し、この他の文字の操作キー３１の押下を誤操作とみなして、ブザー２６を駆動して、このブザー２６から警告音を発音させる。このため、利用者は、誤操作を直ちに察知することができる。
【００４４】
この様に外付けキーボード４が操作表示部３に接続され、アルファベット表示が指示されたときには、外付けキーボード４の各操作キー３１の文字「Ｓ」、「Ｗ」、「Ｏ」、「Ｄ」、「Ｐ」、及び「Ｒ」が表示部２１の入力画面４１Ｂの各ボタン４４ａ〜４４ｆに表示される。そして、各ボタン４４ａ〜４４ｆを操作する代わりに、各文字「Ｓ」、「Ｗ」、「Ｏ」、「Ｄ」、「Ｐ」、及び「Ｒ」の操作キー３１を操作することにより、各ボタン４４ａ〜４４ｆの制御項目についての入力を行うことができる。これらの文字「Ｓ」、「Ｗ」、「Ｏ」、「Ｄ」、「Ｐ」、及び「Ｒ」の操作キー３１をショートカットキーと称し、入力画面４１Ｂ上の各文字「Ｓ」、「Ｗ」、「Ｏ」、「Ｄ」、「Ｐ」、及び「Ｒ」の表示をショートカットキー表示と称する。
【００４５】
尚、外付けキーボード４が操作表示部３に接続され、平仮名表示が指示されたときには、ＲＡＭ２４内の平仮名表示のデータテーブルが検索されて、各ボタン４４ａ〜４４ｆに対応付けられた外付けキーボード４の各操作キー３１の文字「と」、「り」、「し」、「の」、「よ」、及び「は」が読み出され、図６の入力画面４１Ａが図８に示す様な入力画面４１Ｃに切替えられる。この場合も、アルファベット表示と同様に、外付けキーボード４の各文字「と」、「り」、「し」、「の」、「よ」、及び「は」の操作キー３１を操作することにより、各ボタン４４ａ〜４４ｆの制御項目についての入力を行うことができる。また、各文字「と」、「り」、「し」、「の」、「よ」、及び「は」の操作キー３１下側の発光ダイオード３２が点灯され、更に他の文字の操作キー３１が押下されると、ブザー２６から警告音が発音される。
【００４６】
また、各ボタン４４ａ〜４４ｆと外付けキーボード４の各操作キー３１とを対応付けたデータテーブルとして、他の内容のものを予め登録しても良い。例えば、各ボタン４４ａ〜４４ｆと外付けキーボード４の各操作キー３１の文字「Ａ」、「Ｂ」、「Ｃ」、「Ｄ」、「Ｅ」、及び「Ｆ」とを対応付けたデータテーブルを操作表示部３のＲＡＭ２４に記憶しておき、図９に示す様な入力画面４１Ｄを表示部２１に表示しても良い。
【００４７】
あるいは、各ボタン４４ａ〜４４ｆと外付けキーボード４の各操作キー３１の文字「７」、「４」、「１」、「９」、「６」、及び「３」とを対応付けたデータテーブルを操作表示部３のＲＡＭ２４に記憶しておき、図１０に示す様な入力画面４１Ｅを表示部２１に表示しても良い。この入力画面４１Ｅでは、各ボタン４４ａ〜４４ｆの文字「７」、「４」、「１」、「９」、「６」、及び「３」の配列が外付けキーボード４における該各操作キー３１の文字「７」、「４」、「１」、「９」、「６」、及び「３」の配列に対応している。このため、入力画面４１Ｅにおける文字の位置を参考にして、外付けキーボード４における同一文字の操作キー３１を容易に見つけ出すことができ、使い勝手が向上する。
【００４８】
更に、入力画面４１Ｆの様に画像形成装置１を示す図形４３上で各用紙カセット４３ａ〜４３ｄを表示し、各用紙カセット４３ａ〜４３ｄと外付けキーボード４の各操作キー３１の文字「１」、「２」、「３」、及び「４」とを対応付けたデータテーブルを操作表示部３のＲＡＭ２４に記憶しておき、図１１に示す様な入力画面４１Ｆを表示部２１に表示しても良い。この場合は、外付けキーボード４の各文字「１」、「２」、「３」、及び「４」の操作キー３１が選択的に押下されると、外付けキーボード４のＣＰＵ３４は、この押下された文字の操作キー３１を検出し、この文字をＩ／Ｆ部３３を介して操作表示部３に通知する。操作表示部３のＣＰＵ２７は、この文字をＩ／Ｆ部２５を介して通知されると、この文字を表示している用紙カセットが指示されたものとみなし、この指示された用紙カセットを主制御部２に通知する。主制御部２のＣＰＵ１４は、この用紙カセットを通知されると、この用紙カセットを選択して、コピーの制御を進行させる。
【００４９】
また、図９〜図１１のいずれの入力画面を用いる場合でも、外付けキーボード４において入力画面に表示された各文字の操作キー３１下側の発光ダイオード３２が点灯され、更に他の文字の操作キー３１が押下されると、操作表示部３のブザー２６から警告音が発音される。
【００５０】
更に、操作部２２の操作により、ＲＡＭ２４内のデータテーブルの一部を書き換えても良い。例えば、アルファベット表示のデータテーブルの内容を表示部２１に表示した状態で、操作部２２の操作により、該データテーブルにおけるボタン４４ａに対応する操作キー３１の文字「Ｓ」を文字「Ｑ」に書き換えることを指示する。これに応答してＣＰＵ２７は、ＲＡＭ２４内の該データテーブルにおけるボタン４４ａに対応する文字「Ｓ」を文字「Ｑ」に書き換える。これにより、入力画面ではボタン４４ａに文字「Ｑ」が表示されることになる。
【００５１】
また、操作部２２の操作により、ショートカットキー表示の禁止を指示しても良い。この場合、ＣＰＵ２７は、このショートカットキー表示の禁止の指示に従って、外付けキーボード４が操作表示部３に接続されても、入力画面のショートカットキー表示を行わない様にする。
【００５２】
ところで、主制御部２のＣＰＵ１４は、入出力部１１及びＬＡＮ１７を介して、Ｅメール等を他の端末装置との間で送受することができる。例えば、スキャナー１５により読み取られた原稿の画像を示す画像データをＥメールに添付して送信する。このとき、操作性を考慮すると、画像形成装置１に付設の操作部２２（タッチパネル及びテンキー等）を操作するよりも、外付けキーボード４を操作表示部３に接続し、外付けキーボード４を操作して、電子アドレス等を入力し、この電子アドレス等を操作表示部３経由で主制御部２のＣＰＵ１４に入力するのが好ましい。そして、外付けキーボード４を操作するときには、外付けキーボード４と操作部２２の両方を操作するよりも、外付けキーボード４のみを操作した方が、使い勝手が良い。
【００５３】
従って、本実施例の様に外付けキーボード４の各文字「Ｓ」、「Ｗ」、「Ｏ」、「Ｄ」、「Ｐ」、及び「Ｒ」の操作キー３１を操作することにより、各ボタン４４ａ〜４４ｆの制御項目についての入力を行うことができれば、外付けキーボード４のみの操作により、Ｅメールの送信だけではなく、画像形成装置１の操作も可能になり、使い勝手が向上する。
【００５４】
また、外付けキーボード４が接続されていないときには、操作キー３１の文字が各ボタン４４ａ〜４４ｆに表示されないので、不要な情報の表示がなく、利用者を煩わせることがない。
【００５５】
次に、本実施形態の画像形成装置１における入力画面の表示処理を、図１２に示すフローチャートを参照しつつ説明する。
【００５６】
まず、操作表示部３のＣＰＵ２７は、操作部２２の操作によりショートカットキー表示の禁止が指示されているか否かを判定する（ステップＳ１０１）。例えば、操作部２２の操作によりショートカットキー表示の禁止が指示されているときには、ＲＡＭ２４内の表示禁止フラッグをオンにし、また指示されていないときには、ＲＡＭ２４内の表示禁止フラッグをオフにし、この表示禁止フラッグのオンオフに基づいて、ショートカットキー表示の禁止が指示されているか否かの判定を行う。
【００５７】
そして、ＣＰＵ２７は、ＲＡＭ２４内の表示禁止フラッグがオンであって、ショートカットキー表示の禁止が指示されていれば（ステップＳ１０１で「Ｙｅｓ」）、図６に示す様なショートカットキー表示を含まない入力画面４１Ａを表示部２１に表示する（ステップＳ１０２）。この場合、画像形成装置１の動作の進行状況に応じて、表示部２１に表示されている入力画面が更新されても、入力画面にショートカットキー表示がなされることはなく、操作部２２のみの操作により入力を行うことになる。
【００５８】
また、ＣＰＵ２７は、ＲＡＭ２４内の表示禁止フラッグがオフであって、ショートカットキー表示の禁止が指示されていなければ（ステップＳ１０１で「Ｎｏ」）、外付けキーボード４が操作表示部３に接続されているか否かを判定する（ステップＳ１０３）。そして、外付けキーボード４が操作表示部３に接続されていなければ（ステップＳ１０３で「Ｎｏ」）、ショートカットキー表示を含まない入力画面を表示部２１に表示する（ステップＳ１０２）。
【００５９】
また、ＣＰＵ２７は、外付けキーボード４が操作表示部３に接続されていれば（ステップＳ１０３で「Ｙｅｓ」）、外付けキーボード４の操作によりアルファベット表示が指示されているか否かを判定する（ステップＳ１０４）。
【００６０】
そして、ＣＰＵ２７は、外付けキーボード４の操作によりアルファベット表示が指示されていれば（ステップＳ１０４で「Ｙｅｓ」）、ＲＡＭ２４内のアルファベット表示のデータテーブルを検索して、例えば図７に示す様な入力画面４１Ｂを表示部２１に表示する（ステップＳ１０５）。この状態では、先に述べた様に外付けキーボード４の各文字「Ｓ」、「Ｗ」、「Ｏ」、「Ｄ」、「Ｐ」、及び「Ｒ」の操作キー３１を操作することにより、各ボタン４４ａ〜４４ｆの制御項目についての入力を行うことができる。
【００６１】
また、ＣＰＵ２７は、外付けキーボード４の操作により平仮名表示が指示されていれば（ステップＳ１０４で「Ｎｏ」）、ＲＡＭ２４内の平仮名表示のデータテーブルを検索して、例えば図８に示す様な入力画面４１Ｂを表示部２１に表示する(ステップＳ１０６)。この状態では、先に述べた様に外付けキーボード４の各文字「と」、「り」、「し」、「の」、「よ」、及び「は」の操作キー３１を操作することにより、各ボタン４４ａ〜４４ｆの制御項目についての入力を行うことができる。
【００６２】
次に、本発明の表示装置の第２実施形態を適用した画像形成装置について説明する。
【００６３】
本実施形態の画像形成装置は、図１の画像形成装置１と同様の構成であり、操作表示部３の表示部２１の入力画面の表示処理が異なる。
【００６４】
本実施形態では、外付けキーボード４が操作表示部３に接続されていなければ、図１３に示す様なショートカットキー表示を含まない入力画面４１Ｇが表示部２１に表示され、また外付けキーボード４が操作表示部３に接続されていれば、図１４に示す様なショートカットキー表示を含む入力画面４１Ｈが表示部２１に表示される。
【００６５】
図１３の入力画面４１Ｇでは、画像形成装置１の動作の進行状況や制御項目を示す進行状況欄４２と、画像形成装置１を示す図形４３と、特別機能、両面コピー、仕上げ、コピー濃度、用紙、及び倍率というそれぞれの制御項目を示す各ボタン４４ａ〜４４ｆとが表示されている。進行状況欄４２には、画像形成装置１の動作の進行状況及び制御項目を示すメッセージとして、「コピー中です。［Ｃ］でキャンセルできます。」が表示されている。このメッセージは、画像形成装置１によるコピーの実行中であること、及び該コピーが操作部２２の「Ｃ」のキー（図示せず）の押下によりキャンセルされることを示している。
【００６６】
この状態では、利用者の指が各ボタン４４ａ〜４４ｆのいずれかに接触して、任意のボタンが指示されると、この指示されたボタンの位置がタッチパネルにより検出され、このボタンの位置が操作部２２からＣＰＵ２７に通知される。そして、ＣＰＵ２７は、この通知された位置に基づいて、各ボタン４４ａ〜４４ｆのいずれが指示されたかを判定し、この指示されたボタンの応答動作を行う。また、利用者により操作部２２の「Ｃ」のキーが指示されると、これに応答してＣＰＵ２７は、コピーのキャンセルを主制御部２に通知する。主制御部２のＣＰＵ１４は、このコピーのキャンセルを通知されると、実行中のコピーを中断させる。
【００６７】
また、図１４の入力画面４１Ｈでは、外付けキーボード４の各操作キー３１の文字「Ｓ」、「Ｗ」、「Ｏ」、「Ｄ」、「Ｐ」、及び「Ｒ」が各ボタン４４ａ〜４４ｆにそれぞれ表示されている。そして、進行状況欄４２には、「コピー中です。［Ｃ］（ＥＳＣ）でキャンセルできます。」というメッセージが表示されている。このメッセージは、画像形成装置１によるコピーの実行中であること、及び該コピーが操作部２２の「Ｃ」のキー又は外付けキーボード４の文字「ＥＳＣ」の操作キー３１の押下によりキャンセルされることを示している。従って、操作キー３１の文字「ＥＳＣ」が操作部２２の「Ｃ」のキーに対応付けて表示されていると言える。
【００６８】
ここで、操作表示部３のＲＡＭ２４には、入力画面４１Ｈの各ボタン４４ａ〜４４ｆ並びに操作部２２のキーと外付けキーボード４の各操作キー３１とを対応付けたデータテーブルが予め登録されている。そして、ＣＰＵ２７は、このデータテーブルを参照して、外付けキーボード４の各操作キー３１の文字「Ｓ」、「Ｗ」、「Ｏ」、「Ｄ」、「Ｐ」、及び「Ｒ」を各ボタン４４ａ〜４４ｆに表示し、操作キー３１の文字「ＥＳＣ」を進行状況欄４２の「Ｃ」の隣に表示する。
【００６９】
この状態では、利用者が、各文字「Ｓ」、「Ｗ」、「Ｏ」、「Ｄ」、「Ｐ」、及び「Ｒ」の操作キー３１のいずれかを押下すると、外付けキーボード４のＣＰＵ３４は、この押下された文字の操作キー３１を検出し、この文字をＩ／Ｆ部３３を介して操作表示部３に通知する。操作表示部３のＣＰＵ２７は、この文字をＩ／Ｆ部２５を介して通知されると、この文字を表示しているボタンが指示されたものとみなし、このボタンの指示に対する応答動作を行う。
【００７０】
また、利用者が、文字「ＥＳＣ」の操作キー３１を押下すると、外付けキーボード４のＣＰＵ３４は、この文字「ＥＳＣ」の操作キー３１を検出し、この文字「ＥＳＣ」をＩ／Ｆ部３３を介して操作表示部３に通知する。操作表示部３のＣＰＵ２７は、この文字「ＥＳＣ」を通知されると、この文字「ＥＳＣ」を対応付けられている操作部２２の「Ｃ」のキーが指示されたものとみなし、コピーのキャンセルを主制御部２に通知する。主制御部２のＣＰＵ１４は、このコピーのキャンセルを通知されると、実行中のコピーを中断させる。
【００７１】
更に、コピーが終了すると、主制御部２のＣＰＵ１４は、コピーの終了、及びコピーに引き続く次の動作の進行状況を操作表示部３に通知する。操作表示部３のＣＰＵ２７は、コピーの終了、及びコピーに引き続く次の動作の進行状況を通知されると、進行状況欄４２における「コピー中です。［Ｃ］（ＥＳＣ）でキャンセルできます。」というメッセージを消去し、次の動作の進行状況及び制御項目を示すメッセージを進行状況欄４２に表示する。このとき、ＣＰＵ２７は、次の動作の制御項目についての入力が可能な操作部２２のキーの文字や外付けキーボード４の操作キー３１の文字を進行状況欄４２に表示する。
【００７２】
以降同様に、画像形成装置１の動作が変わって更新される度に、この更新された動作の進行状況及び制御項目を示すメッセージが進行状況欄４２に表示され、この更新された動作の制御項目についての入力が可能な操作部２２のキーの文字や外付けキーボード４の操作キー３１の文字が進行状況欄４２に表示される。
【００７３】
この様に本実施形態では、外付けキーボード４が操作表示部３に接続されたときには、外付けキーボード４の各操作キー３１の文字「Ｓ」、「Ｗ」、「Ｏ」、「Ｄ」、「Ｐ」、及び「Ｒ」が表示部２１の入力画面４１Ｈの各ボタン４４ａ〜４４ｆに表示されるだけではなく、外付けキーボード４の操作キー３１の文字「ＥＳＣ」が進行状況欄４２で操作部２２の「Ｃ」のキーに対応付けて表示される。
【００７４】
また、動作が変わって更新される度に、進行状況欄４２のメッセージも更新され、この更新された動作の制御項目についての入力が可能な操作部２２のキーの文字や外付けキーボード４の操作キー３１の文字が進行状況欄４２に表示される。
【００７５】
更に、外付けキーボード４が接続されていないときには、操作キー３１の文字が各ボタン４４ａ〜４４ｆや進行状況欄４２に表示されないので、不要な情報の表示がなく、利用者を煩わせることがない。
【００７６】
尚、各文字「Ｓ」、「Ｗ」、「Ｏ」、「Ｄ」、「Ｐ」、「Ｒ」、及び「ＥＳＣ」の操作キー３１下側の発光ダイオード３２の点灯を操作表示部３から外付けキーボード４に指示し、該各操作キー３１下側の発光ダイオード３２を点灯させても良い。また、他の操作キー３１が押下されたときには、ブザー２６から警告音を発音させても良い。
【００７７】
次に、本実施形態の画像形成装置１における入力画面の表示処理を、図１５に示すフローチャートを参照しつつ説明する。
【００７８】
まず、操作表示部３のＣＰＵ２７は、操作部２２の操作によりショートカットキー表示の禁止が指示されているか否かを判定する（ステップＳ２０１）。そして、ＣＰＵ２７は、ショートカットキー表示の禁止が指示されていれば（ステップＳ２０１で「Ｙｅｓ」）、図１２に示す様なショートカットキー表示を含まない入力画面４１Ｇを表示部２１に表示する（ステップＳ２０２）。この場合、画像形成装置１の動作の進行状況に応じて、表示部２１に表示されている入力画面が更新されても、入力画面にショートカットキー表示がなされることはなく、操作部２２のみの操作により入力を行うことになる。
【００７９】
また、ＣＰＵ２７は、ショートカットキー表示の禁止が指示されていなければ（ステップＳ２０１で「Ｎｏ」）、外付けキーボード４が操作表示部３に接続されているか否かを判定する（ステップＳ２０３）。そして、外付けキーボード４が操作表示部３に接続されていなければ（ステップＳ２０３で「Ｎｏ」）、ショートカットキー表示を含まない入力画面を表示部２１に表示する（ステップＳ２０２）。
【００８０】
また、ＣＰＵ２７は、外付けキーボード４が操作表示部３に接続されていれば（ステップＳ２０３で「Ｙｅｓ」）、ＲＡＭ２４内のデータテーブルを検索して、例えば図１３に示す様な入力画面４１Ｈを表示部２１に表示する（ステップＳ２０４）。この状態では、先に述べた様に外付けキーボード４の各文字「Ｓ」、「Ｗ」、「Ｏ」、「Ｄ」、「Ｐ」、「Ｒ」、及び「ＥＳＣ」の操作キー３１を操作することにより、各ボタン４４ａ〜４４ｆの制御項目及び操作部２２の「Ｃ」のキーの制御項目についての入力を行うことができる。
【００８１】
そして、動作が変わって更新される度に、この更新された動作の進行状況及び制御項目を示すメッセージが進行状況欄４２に表示され、この更新された制御項目についての入力が可能な操作部２２のキーの文字や外付けキーボード４の操作キー３１の文字が進行状況欄４２に表示される。
【００８２】
尚、本発明は、上記各実施形態に限定されるものではなく、多様に変形することができる。例えば、複数の外付けキーボード４のいずれが操作表示部３に接続されたときにも、接続された外付けキーボード４の各操作キーの文字が入力画面の各ボタン４４ａ〜４４ｆに表示される様にしても良い。この場合は、複数の外付けキーボード４別に、入力画面の各ボタン４４ａ〜４４ｆと外付けキーボード４の各操作キー３１の文字とを対応付けしたデータテーブルを作成して、このデータテーブルを該外付けキーボード４の識別情報と共にＲＡＭ２４に記憶しておく。そして、ＣＰＵ２７は、操作表示部３に接続された外付けキーボード４の識別情報に基づいて該外付けキーボード４のデータテーブルを選択し、このデータテーブルを検索して、該外付けキーボード４の各操作キー３１の文字を入力画面の各ボタン４４ａ〜４４ｆに表示する。これにより、複数の利用者のいずれもが、自分の外付けキーボード４を使用することができる。
【００８３】
また、本発明は、画像形成装置だけではなく、他の電子機器にも適用することができる。
【図面の簡単な説明】
【００８４】
【図１】本発明の表示装置の第１実施形態を適用した画像形成装置を概略的に示すブロック図である。
【図２】図１の画像形成装置における主制御部を示すブロック図である。
【図３】図１の画像形成装置における操作表示部を示すブロック図である。
【図４】図１の画像形成装置における外付けキーボードの概観を示す平面図である。
【図５】外付けキーボードを示すブロック図である。
【図６】図１の画像形成装置における操作表示部の入力画面の一例を示す図である。
【図７】外付けキーボードからの入力が可能な入力画面の一例を示す図である。
【図８】外付けキーボードからの入力が可能な入力画面の他の例を示す図である。
【図９】外付けキーボードからの入力が可能な入力画面の別の例を示す図である。
【図１０】外付けキーボードからの入力が可能な入力画面の更に他の例を示す図である。
【図１１】外付けキーボードからの入力が可能な入力画面の更に別の例を示す図である。
【図１２】図１の画像形成装置における入力画面の表示処理を示すフローチャートである。
【図１３】本発明の表示装置の第２実施形態を適用した画像形成装置における操作表示部の入力画面の一例を示す図である。
【図１４】外付けキーボードからの入力が可能な入力画面の一例を示す図である。
【図１５】第２実施形態の画像形成装置における入力画面の表示処理を示すフローチャートである。
【符号の説明】
【００８５】
１  画像形成装置
２  主制御部
３  操作表示部
４  外付けキーボード
１１  入出力部
１２、２３  ＲＯＭ
１３、２４  ＲＡＭ
１４、２７、３４  ＣＰＵ
１５  スキャナー
１６  プリンター
１７  ＬＡＮ
２１  表示部
２２  操作部
２５、３３  Ｉ／Ｆ部
２６  ブザー
３１  操作キー
３２  発光ダイオード
【図１】
2006146330.tif 000003
【図２】
2006146330.tif 000004
【図３】
2006146330.tif 000005
【図４】
2006146330.tif 000006
【図５】
2006146330.tif 000007
【図６】
2006146330.tif 000008
【図７】
2006146330.tif 000009
【図８】
2006146330.tif 000010
【図９】
2006146330.tif 000011
【図１０】
2006146330.tif 000012
【図１１】
2006146330.tif 000013
【図１２】
2006146330.tif 000014
【図１３】
2006146330.tif 000015
【図１４】
2006146330.tif 000016
【図１５】
2006146330.tif 000017